(57)【要約】【課題】原稿の傾きを視認しつつ原稿を原稿テーブルへ挿入でき、そのまま画像形成して出力できるようにする。【解決手段】画像読み取り装置２０は、原稿テーブル２の下側に照明手段２１を配置し、原稿テーブル２上で画像読み取り装置２０へ挿入する原稿３の画像を照明手段２１から射出した光で透かして情報から見ることができるようにしている。そのため、原稿３の傾きを修正しながら、あるいは所望のように原稿３を傾けながら画像読み取り装置２０内へ挿入することができる。【選択図】図２
2013042293.tif 000002
【特許請求の範囲】
【請求項１】
原稿の画像面を下向きにして搬送しつつ前記画像面の読み取りを行う画像読み取り装置において、
装置本体に、
前記原稿を載置する原稿テーブルと、
前記原稿テーブル上から前記原稿を搬送する原稿搬送手段と、
前記原稿搬送手段で搬送される前記原稿の前記画像面を読み取り、読み取った前記画像面の画像を取得する読み取り手段と、
前記原稿テーブル上の原稿を前記原稿の画像面の下方から照射可能な照明手段と、
を備えることを特徴とする原稿送り装置。
【請求項２】
請求項１の画像読み取り装置において、
前記照明手段を前記装置本体から取り外し可能としてなることを特徴とする画像読み取り装置。
【請求項３】
請求項１または２の画像読み取り装置において、
前記原稿テーブルの上側に、該原稿テーブル上方からの光を遮る遮蔽部材を備えることを特徴とする画像読み取り装置。
【請求項４】
請求項３の画像読み取り装置において、
前記原稿テーブルの上側に、装置本体内で前記原稿を読み取りる際の主走査方向に沿って移動可能なサイドフェンスを備え、
前記遮蔽部材を前記サイドフェンスと連動させる手段を備えたことを特徴とする原稿送り装置。
【請求項５】
請求項３の画像読み取り装置において、
前記原稿テーブルの上側に、装置本体内で前記原稿を読み取りる際の主走査方向に沿って移動可能なサイドフェンス対と、一対の前記遮蔽部材とを備え、
前記一対の前記遮蔽部材を前記サイドフェンス対と連動させる手段を備えたことを特徴とする原稿送り装置。
【請求項６】
請求項４または５の画像読み取り装置において、
前記遮蔽部材が一側を巻き出し、巻き取り可能にしたロール状のシート材であり、
前記サイドフェンスと連動させる手段を、前記シート材である前記遮蔽部材の一端を前記サイドフェンスに固定し、前記サイドフェンスの移動にともなって前記遮蔽部材が巻き出し、巻き取られるようにして構成してなることを特徴とする画像読み取り装置。
【請求項７】
請求項４から６のいずれかの画像読み取り装置において、
前記照明手段を前記サイドフェンスに備えたことを特徴とする画像読み取り装置。
【請求項８】
画像形成装置本体上に請求項１から７のいずれかの画像読み取り装置を備えたことを特徴とする画像形成装置。
【発明の詳細な説明】
【技術分野】
【０００１】
本発明は、画像読み取り装置に関し、詳細には広幅機と称される画像読み取り装置、及びこれを備えた画像形成装置に関する。
【背景技術】
【０００２】
読み取り精度の向上、コスト抑制を図った広幅機では、原稿面を下向きにして原稿画像の読み取りを行う。例えば図１に示す画像読み取り装置１では、図示のように、原稿テーブル２上に原稿３を、原稿面を下向きにセットし、原稿搬送ローラ（入口）４に挿入することで、原稿３が搬送され、原稿搬送面より下側に設けた画像読み取り部（ＣＩＳ）５で原稿３の原稿面画像を読み取り、原稿搬送ローラ（出口）６、原稿排紙ローラ７を介して原稿３を排紙部８へ排出する。図中１０は画像形成装置の装置本体の一部を示す。
【０００３】
このような画像読み取り装置では、ユーザーが任意に原稿を傾けて搬送させ、意図的にコピー画像を斜め向きにしたい要望がある。
【０００４】
ただし、原稿を直接に斜めに搬送、読み取りすることは視認し、所望のように傾いているかどうかを確認することが面倒である。そこで、読み取った画像データを画像形成装置本体に設けた操作部の表示部（例えば、液晶ディスプレーなどの表示装置）に表示させ、操作者に傾き角度を入力させた後、画像形成出力する技術や、予め傾き量を入力して読み取った画像を傾かせて画像形成正出力する技術が知られている。
【発明の概要】
【発明が解決しようとする課題】
【０００５】
しかし、読み取った画像データを機械のディスプレーなどの表示機構に表示し、ユーザーに傾き角度を入力させた後コピー出力する装置では、読み取り画像を確認してからコピー出力することになるため、生産性が低下する可能性がある。
【０００６】
また予め傾き量を入力して画像を傾かせる装置では、画像の読み取り時に原稿が傾いていた場合、傾きがわずかでも、入力した傾きと異なっている、と装置側で判断してしまい得るという問題がある。
【０００７】
特許文献１には、読み取った原稿のエッジ情報、罫線情報などから傾きの候補をユーザーに提示し、提示された候補から選択させる構成が開示されている。この技術では、スキューを補正することは可能であるかもしれないが、原稿読み込み後にユーザーが判定する必要があり、生産性が低下傾向になることは否めない。
【０００８】
そこで本発明においては、原稿の傾きを視認しつつ原稿を原稿テーブルへ挿入でき、そのまま画像形成して出力できるようにすることにより、生産性が高く、傾きのない、あるいは所望の傾きの画像形成出力を行える画像形成装置を提供することを目的とする。
【課題を解決するための手段】
【０００９】
本発明は、原稿の画像面を下向きにして搬送しつつ前記画像面の読み取りを行う画像読み取り装置において、装置本体に、前記原稿を載置する原稿テーブルと、前記原稿テーブル上から前記原稿を搬送する原稿搬送手段と、前記原稿搬送手段で搬送される前記原稿の前記画像面を読み取り、読み取った前記画像面の画像を取得する読み取り手段と、前記原稿テーブル上の原稿を前記原稿の画像面の下方から照射可能な照明手段とを備えることを特徴とする原稿送り装置である。
【発明の効果】
【００１０】
本発明によれば、挿入する原稿の画像を照明光で透かして見ることができるようにすることで、傾きを修正しながら挿入することができるようになるので、傾きのない、あるいは所望の傾きの画像形成出力が行いやすくなり、画像の読み取り中や読み取り後の処理、作業が不要になり、そのまま出力でき、そのために生産性が高まる。
【図面の簡単な説明】
【００１１】
【図１】広幅機と称される画像形成装置の、一例の概念的側面断面図
【図２】実施形態１に係る装置の基本構成について示す正面図（Ａ）と要部平面図（Ｂ）
【図３】実施形態１に係る装置の基本動作を説明するための斜視図（Ａ）と概念的側面図（Ｂ）
【図４】実施形態２に係る装置の基本動作を説明するための要部平面図（Ａ）と、背面図（Ｂ、Ｃ）
【発明を実施するための形態】
【００１２】
本発明の実施の形態を、図面を参照して説明する。なお以下では図１に示した例と同一ないし類似の構成要素には同一の符号を付して説明する。
【００１３】
＜実施形態１＞
本発明の実施形態に係る画像読み取り装置２０は、原稿テーブル２の下側に照明手段２１を配置し、原稿テーブル２上で画像読み取り装置２０へ挿入する原稿３の画像を照明手段２１から射出した光で透かして情報から見ることができるようにしている。そのため、原稿３の傾きを修正しながら、あるいは所望のように原稿３を傾けながら画像読み取り装置２０内へ挿入することができる。
【００１４】
図２、図３は実施形態１に係る装置の基本構成について示す。詳細な図示は省略するが、原稿テーブル２には照明手段としてＬＥＤユニット２１を埋め込めるスペースが設けてあり、原稿テーブル２上の原稿３を該原稿３の画像面の下方から照射可能としてある。
【００１５】
また原稿テーブル２上には、画像読み取り装置２０内での原稿画像面の読み取り主走査方向（図２（Ｂ）での左右方向）で移動可能に一対のガイド部材２２、２２が設けてある。ガイド部材２２、２２は、それぞれ、主走査方向中央側が斜面をなし、反対側である主走査方向外側が原稿搬送方向（図２（Ｂ）の矢印Ｘ方向）に沿う平面としてある。
【００１６】
図中２３、２３は一対の遮光装置で、原稿テーブル２の両端に設置してあり、シート状の遮光部材２４の一端を前記したガイド部材２２の主走査方向外側面に取り付けてあり、他端側はロール巻き取り装置に巻き付けてロール状にしてあり、ガイド部材２２を主走査方向にスライド移動させると、その動きに合わせて、遮光部材２４がロール巻き取り装置から巻き出されたり、巻き取られたりする動作を行う。
【００１７】
なお、図３（Ｂ）に示すように、ガイド部材２２への遮光部材２４の取り付けは、ガイド部材２２に例えばフック部２２ａを設け、これに遮光部材２４の一端部に設けたフック材２４ａを引っ掛けることで取り付けることができる。面ファスナー等を用いて遮光部材２４の一端部とガイド部材２２の平面を固着して連結しても良い。またさらに他の固定、固着、連結手段も採用できる。
【００１８】
ＬＥＤユニット２１と、遮光装置２３とは、画像読み取り装置２０のオプションとして後付できるようにするため、原稿テーブル２へは取り付け、取り外し可能に構成することが好ましい。
【００１９】
また詳細な図示は省略するが、原稿テーブル２のＬＥＤユニット２１の埋め込みスペースにＬＥＤユニット２１を取り付けた後、取り付け用の凹部をふさぐためのカバー２５を原稿テーブル２に設置すると良い。このＬＥＤユニット２１用のカバー２５としては、透明もしくはＬＥＤ光を透過する色にする。
【００２０】
本実施形態の基本動作について説明する。
読み取りを行う原稿３の幅サイズに合わせてガイド部材２２を主走査方向に動かし、原稿テーブル２上に原稿３をセットする。ついで、原稿テーブル２に設置したＬＥＤユニット２１を点灯させる。すると、ＬＥＤユニット２１から発せられた光が原稿テーブル２上に置かれた原稿３を透過し、画像面を上方から透かして見ることができるようになり、それによって原稿３の画像面の傾き具合を視認することができるようになる。図中Ｌは視認状態の一例を示す。
【００２１】
また、ガイド部材２２を原稿３の幅に合わせてスライドさせると、その動きに合わせて遮光部材２４が遮光装置２３のロール巻き取り装置からの巻き出し、ロール巻き取り装置による巻き取りが行われる。これにより、ＬＥＤユニット２１の原稿３の幅より外側にはみ出した部分を覆い隠せる。そのため、幅の狭い小サイズの原稿３を読み取りるときも、操作者がまぶしいと感じることを減じることが可能になる。
【００２２】
＜実施形態２＞
本発明の第２の実施形態を説明する。第１の実施例と共通する構成については同一の符号を付して説明する。
本実施形態では、ガイド部材２２が原稿上面と対峙する部位だけに穴２ａを設けてＬＥＤユニット２１を配し、原稿３を照射できるようにしてある。また、ＬＥＤユニット２１から照射された光が、先に説明した実施形態で遮光部材を設けていた側へ漏れないで、先の実施例のような遮光部材は必要ない。図中２２ｂは、ガイド部材２２のボスで、穴２ａ内に挿入してガイド部材２２の移動をガイドする。
【００２３】
ガイド部材２２に備え付けられており、ＬＥＤユニット２１のＬＥＤを点灯させるためのハーネス２７は、原稿幅が最大幅の状態での長さに設定してあり、２つのガイド部材２２、２２の動きを同調させているラック２８、２８の面上に固定されている。
【００２４】
ラック２８から原稿テーブル２へのハーネス２７の受け渡し部では、ラック２８の位置よりも外側の位置で、原稿テーブル２にハーネス２７を固定することで、ガイド部材２２の幅を例えば８４１ｍｍの位置（図４（Ａ）から２１０ｍｍの位置（図４（Ｂ）に移動させても、余ったハーネス２７が図４（Ｃ）に示すように、Ｚ字状に折れ曲がるので、ハーネス２７が邪魔になることはない。なお図中３０はラック２８、２８とともにラック・ピニオン機構を構成するピニオンであり、３１はハーネス２７を配回すために位置を固定するクランプである。
【符号の説明】
【００２５】
２：原稿テーブル
２ａ：穴
２０：画像読み取り装置
２１：ＬＥＤユニット（照明手段）
２２：ガイド部材
２２ａ：ガイド部材のフック部
２２ｂ：ガイド部材のボス
２３：遮光装置
２４：遮光部材
２４ａ：遮光部材のフック材
２５：カバー
２７：ハーネス
２８：ラック
３０：ピニオン
３１：クランプ
【先行技術文献】
【特許文献】
【００２６】
【特許文献１】特開２００６−０８７０２７号公報
【図１】
2013042293.tif 000003
【図２】
2013042293.tif 000004
【図３】
2013042293.tif 000005
【図４】
2013042293.tif 000006